(57)【要約】【課題】近隣の利用者が簡単に投稿／閲覧することが可能な電子掲示板システムを提供する。【解決手段】携帯端末１が、ディスプレイ端末２の近距離通信ゾーン内において、近距離通信パス６を介して、ディスプレイ端末２にログイン要求を送信すると、ディスプレイ端末２が、近距離通信パス６を介して、携帯端末１に、電子掲示板プログラムのＵＲＬを返信する。携帯端末１が、携帯ネットワーク４及びネットワークを介して、そのＵＲＬにアクセスし、公開用情報をディスプレイ端末に送信すると、ディスプレイ端末２上の電子掲示板プログラムが、その公開用情報を電子掲示板のコンテンツとしてディスプレイに表示する。【選択図】図１
2005011318.tif 000002
【特許請求の範囲】
【請求項１】
利用者からの入力を受け付ける入力機器と、利用者へ情報表示する出力機器と、を備えた情報処理端末において、
ディスプレイ装置と近距離の通信を行う第一の近距離通信機器と、
前記ディスプレイ装置とネットワークを経由して通信を行う第二の通信機器と、
を備え、
前記第一の近距離通信機器を介して前記ディスプレイ装置との間で前記ディスプレイ装置の使用開始前に通信するとともに、前記第二の通信機器を介して前記ディスプレイ装置とデータを送受信することを特徴とする情報処理端末。
【請求項２】
請求項１において、
前記ディスプレイ装置にデータを投稿する機能と、
投稿されたデータへのコメントを入力する機能と、
を有することを特徴とする情報処理端末。
【請求項３】
請求項２において、
前記ディスプレイ装置に表示された対象物を選択する手段を備えることを特徴とする情報処理端末。
【請求項４】
周辺の利用者への情報提供を行うディスプレイ装置において、
情報処理端末と近距離の通信を行う第一の近距離通信機器と、
前記情報処理端末とネットワークを経由して通信を行う第二の通信機器と、
を備え、
前記第一の近距離通信機器を介して前記情報処理端末との間で、前記情報処理端末が前記ディスプレイ装置を利用するために使用開始前の通信処理を行い、前記第二の通信機器を介して前記情報処理端末とデータを送受信することを特徴とするディスプレイ装置。
【請求項５】
請求項４において、
前記第一の近距離通信機器と前記情報処理端末との間の通信確立情報と、前記第二の通信機器と前記携帯処理端末との間の通信確立情報とを対応付ける処理を行うことを特徴とするディスプレイ装置。
【請求項６】
請求項４または５記載のディスプレイ装置を備え、
前記ディスプレイ装置が、電子掲示板であることを特徴とする電子掲示システム。
【請求項７】
基地局の第１通信ゾーン内において当該基地局と無線通信を行って、当該基地局を介してネットワークに接続する第１通信手段と、
前記ネットワークに接続されたディスプレイ端末の、前記第１通信ゾーンよりも狭い第２通信ゾーン内において、前記ディスプレイ端末と無線通信を行う第２通信手段と、
ユーザからの指示を受け付ける入力手段と、
前記第２通信手段と前記ディスプレイ端末との接続を指示する指示を前記入力手段が受け付けた場合、前記第２通信手段から接続要求を出力し、当該接続要求に応じて前記ディスプレイ端末が返信したアドレス情報を前記第２通信手段が受け付けると、当該アドレス情報が示す、前記ネットワーク上のリソースに対するアクセス要求を前記第１通信手段から出力する制御手段と、
を備えることを特徴とする携帯端末。
【請求項８】
請求項７記載の携帯端末であって、
記憶手段を有し、
前記リソースを有するサーバと前記第１通信手段とのセッションに割り当てられた第１識別情報を、前記アクセス要求に対する応答として前記第１通信手段が受信すると、前記制御手段は、前記第１識別情報を前記記憶手段に格納し、
公開用情報の送信指示を前記入力手段が受け付けると、前記制御手段は、前記第１識別情報に対応付けられる前記ディスプレイ端末上における前記公開用情報の表示を要求する、前記公開用情報及び前記記憶手段中の第１識別情報を含んだ要求を、前記サーバに送信すべく前記第１通信手段から出力させる、
ことを特徴とする携帯端末。
【請求項９】
公開用の画像をディスプレイに表示する情報処理端末であって、
ネットワークに接続される第３通信手段と、
通信ゾーンを有し、当該通信ゾーン内の携帯端末と無線通信を行う第４通信手段と、
前記通信ゾーン内の携帯端末からの接続要求を前記第４通信手段が受け付けた場合には、当該接続要求に応じて、前記ネットワーク上のリソースの位置を表すアドレス情報を前記第４通信手段から出力し、前記リソースを利用して前記携帯端末が前記ネットワーク上に送信した公開用情報を、前記ネットワークを介して前記第３通信手段が受け付けた場合には、当該公開用情報を前記公開用の画像として前記ディスプレイに表示する制御手段と、
を有することを特徴とする情報処理端末。
【請求項１０】
ネットワークを介して携帯端末または情報処理端末との間で通信を行う通信手段と、
前記通信手段が、前記情報処理端末を介して、前記携帯端末からの接続要求を受け付けた場合に、前記ネットワーク上のリソースの位置を表すアドレス情報を、前記情報処理端末に送信すべく前記通信手段から出力させる制御手段を有し、
携帯端末と当該携帯端末からの接続要求を前記通信手段に送信した情報処理端末との対応情報を記憶する記憶手段と、
前記制御手段は、
前記携帯端末が前記リソースを利用して送信した公開用情報を前記通信手段が受け付けた場合に、前記対応情報により当該携帯端末に対応付けられる情報処理端末に対して、当該公開用情報の表示を要求する表示要求を前記通信手段から出力させることを特徴とするサーバ。
【請求項１１】
請求項１１記載のサーバであって、
前記制御手段は、
前記通信手段が前記接続要求を受け付けた場合、前記情報処理端末を介した前記携帯端末とのセッションに割り当てた第１識別情報を、前記情報処理端末に対応付けて前記対応情報に格納して、前記携帯端末宛てに前記通信手段から出力させ、
前記通信手段が前記公開用情報とともに前記第１識別情報または当該第１識別情報に関連する第２識別情報を受け付けた場合に、前記対応情報により前記第１識別情報に対応付けられる情報処理端末、または、前記対応情報により、前記第１識別情報を介して前記第２識別情報に対応付けられる情報処理端末に対する前記表示要求を前記通信手段から出力させる、
ことを特徴とするサーバ。
【請求項１２】
請求項９記載の情報処理端末と、
前記ネットワークを介して前記情報処理端末に接続された、請求項１１記載のサーバと、
を有することを特徴とするネットワークシステム。
【請求項１３】
公開用の画像を表示する情報処理端末を、携帯端末のユーザに利用させる方法であって、
前記携帯端末は、
基地局の第１通信ゾーン内において当該基地局と無線通信を行って、当該基地局を介してネットワークに接続する第１通信手段と、
前記ネットワークに接続された情報処理端末の、前記第１通信ゾーンよりも狭い第２通信ゾーン内において、前記情報処理端末と無線通信を行う第２通信手段と、
を有し、
前記情報処理端末は、
ディスプレイと、
ネットワークに接続された第３通信手段と、
前記第２通信ゾーン内の携帯端末と無線通信を行う第４通信手段と、
制御手段と、
を有し、
当該方法は、
前記情報処理端末において、前記第２通信ゾーン内の前記携帯端末の第２通信手段からの接続要求を前記第４通信手段が受信した場合に、前記制御手段が、当該接続要求に応じて、前記ネットワーク上のリソースの位置を表すアドレス情報を、前記第４通信手段から前記携帯端末の第２通信手段に返信する第１処理と、
前記情報処理端末において、前記リソースの利用により前記携帯端末の第１通信手段が送信した公開用情報を前記第３通信手段が受信した場合には、前記制御手段が、当該公開用情報を前記公開用の画像として前記ディスプレイに表示させる第２処理と、を有することを特徴とする方法。
【請求項１４】
請求項１４記載の方法であって、
前記ネットワークには、前記リソースを有するサーバが接続されており、
前記第１処理は、
前記情報処理端末の第３通信手段が前記接続要求を前記サーバに送信し、当該接続要求に応じて、前記サーバが、前記情報処理端末を介した前記携帯端末の第２通信手段とのセッションに割り当てた第１識別情報を、前記情報処理端末に対応付けて対応情報に格納して、当該第１識別情報及び前記アドレス情報を前記情報処理端末の第３通信手段に返信する処理と、
前記情報処理端末において、前記第３通信手段が、前記アドレス情報及び前記第１識別情報を受信し、前記制御手段が、前記アドレス情報及び前記第１識別情報を前記第３通信手段から前記第２通信手段に送信する処理と、を含み、
前記第２処理は、
前記サーバが、前記リソースへのアクセスにより前記携帯端末の第１通信手段が送信した公開用情報を、前記第１識別情報または当該第１識別情報に関連する第２識別情報とともに受信すると、前記対応情報により前記第１識別情報に対応付けられる情報処理端末、または、前記対応情報により、前記第１識別情報を介して前記第２識別情報に対応付けられる情報処理端末に対して前記表示要求を送信する処理と、
前記情報処理端末において、前記サーバからの前記表示要求を前記第３通信手段が受信し、前記制御手段が、当該公開用情報を前記公開用の画像として前記ディスプレイに表示させる処理と、を含む、
ことを特徴とするサーバ。
【発明の詳細な説明】
【技術分野】
【０００１】
本発明は、通信機能を有する情報端末及び情報端末からの要求により、掲示板情報を表示するシステムに係り、特に、情報端末とディスプレイ装置を備えた電子掲示板システムに関する。
【背景技術】
【０００２】
インターネット上の情報端末や携帯端末から、同じくインターネット上に設けられた掲示板に、記事の投稿やオークションの設定を行うことができる電子掲示板がある。電子掲示板は、例えば２００２１２３４６６特許文献１に示される。２００２１２３４６６特許文献１には、外部ネットワークから掲示板への新規登録／参照／書き換えができる掲示板システムが示される。
【０００３】
【特許文献１】特開２００２−１２３４６６号公報
【発明の開示】
【発明が解決しようとする課題】
【０００４】
前記の従来のインターネットにおける電子掲示板システムでは、インターネットに接続された情報端末、携帯端末から、投稿者の物理的場所とは無関係に、掲示板一覧等から所望テーマの掲示板を選択する。このような電子掲示板システムでは、利用者の位置に応じて、利用対象の掲示板を指定することができず、駅や学校等に設置された目前の電子掲示板に対する書き込みを指定する場合でも、端末上メニューから該当掲示板を指定しなくてはならない。また、利用者の物理的な位置に関係なく、インターネットから接続可能な端末から掲示板への投稿ができるため、掲示板への不適切な投稿が行われることがある。
【０００５】
そこで、本発明は、目前の掲示板の利用開始指示を容易にし、また近隣の利用者のみ投稿／閲覧可能な電子掲示板システムを提供することを目的とする。
【課題を解決するための手段】
【０００６】
本発明に係る情報処理端末は、
利用者からの入力を受け付ける入力機器と、
利用者へ情報表示する出力機器と、
を備え、
ディスプレイ装置と近距離の通信を行う第一の近距離通信機器と、前記ディスプレイ装置と、ネットワークを経由して通信を行う第二の通信機器と、を備え、前記第一の近距離通信機器を介して、前記ディスプレイ装置と、前記ディスプレイ装置の使用開始処理通信を行い、前記第二の通信機器を介して、前記ディスプレイ装置とデータを送受信する。これによって、処理を行いたい対象であるディスプレイ装置を容易に指定できる。
【０００７】
さらに、前記ディスプレイ装置に表示された対象物を選択する手段を備える。これによって、ディスプレイ装置に表示された対象物を容易に指定できる。
【０００８】
また、本発明に係るディスプレイ装置は、
情報処理端末と近距離の通信を行う第一の近距離通信機器と、
前記情報処理端末と、ネットワークを経由して通信を行う第二の通信機器と、
を備え、
前記第一の近距離通信機器を介して、前記情報処理端末と、前記情報処理端末が前記ディスプレイ装置を利用するための使用開始処理通信を行い、前記第二の通信機器を介して、前記情報処理端末とデータを送受信する。
【０００９】
さらに、前記第一の近距離通信機器と前記情報処理端末との通信確立情報と、前記第二の通信機器と前記携帯処理端末との通信確立情報と、を対応付ける処理を行う。これによって別の通信路において通信する同一の情報処理端末の同一性を確認できる。
【００１０】
また、本発明に係る情報処理端末は、
利用者からの入力を受け付ける入力機器と、
利用者へ情報表示する出力機器と、
ディスプレイ装置と近距離の通信を行う第一の近距離通信機器と、
管理サーバやディスプレイ装置とネットワークを経由して通信を行う第二の通信機器と、
を備え、
前記第一の近距離通信機器を介して前記ディスプレイ装置との間で前記ディスプレイ装置の使用開始前に通信するとともに、前記第二の通信機器を介して前記管理サーバを介し、前記ディスプレイ装置とデータを送受信する。これによって、処理を行いたい対象であるディスプレイ装置を容易に指定できる。
【００１１】
さらに、前記ディスプレイ装置に表示された対象物を選択する手段を備える。これによって、ディスプレイ装置に表示された対象物を容易に指定できる。
【００１２】
また、本発明に係るディスプレイ装置は、
情報処理端末と近距離の通信を行う第一の近距離通信機器と、
管理サーバや前記携帯処理端末とネットワークを経由して通信を行う第二の通信機器と、
を備え、
前記第一の近距離通信機器を介して前記情報処理端末との間で前記情報処理端末が前記ディスプレイを利用するために使用開始前の通信処理を行い、使用開始情報を前記第二の通信機器を介して前記管理サーバに通知したのち、前記管理サーバを介し、前記情報処理端末とデータを送受信する。
【００１３】
さらに、前記第一の近距離通信機器と前記情報処理端末との通信確立情報と、前記第二の通信機器と前記携帯処理端末との通信確立情報と、を対応付ける処理を行う。これによって別の通信路において通信する同一の情報処理端末の同一性を確認できる。
【００１４】
また、本発明に係る、周辺の利用者への情報提供を行う電子掲示システムにおいて、本発明に係る管理サーバは、
情報処理端末やディスプレイ装置とネットワークを経由して通信を行う通信機器を備え、
前記ディスプレイ装置を介して前記情報処理端末から送信される使用開始情報を受信し、利用者の前記情報処理端末の利用認証と利用しているディスプレイ装置の管理を行い、前記情報処理端末とデータ送受信し、前記ディスプレイ装置に表示の変更要求を行う。これにより、情報処理端末との通信処理を管理サーバで集約して行える。
【発明の効果】
【００１５】
本発明によれば、近距離通信での認証を契機に使用開始を許可する電子掲示板を実現できる。これによって、目前の電子掲示板の使用開始を直感的に容易に指定できる。また、使用を電子掲示板の近隣の利用者に制限することで、離れた利用者からの不適切な書き込みを抑制できる。
【発明を実施するための最良の形態】
【００１６】
本発明の実施の形態に係る電子掲示板システムを、図面を用いて説明する。なお、以下において共通する部分については同一の符号を付すこととし、重複した説明は省略する。
【００１７】
本実施の形態に係る電子掲示板システムにおいては、電子掲示板機能を実現するディスプレイ端末２に対して、投稿者が、携帯端末１を用いて画像を投稿する。また、閲覧者が、ディスプレイ端末２に表示された前記投稿に対し、同じく携帯端末１を用いて、コメントの書き込みを行う。
【００１８】
図１に、本実施形態に係る電子掲示板システムの構成図を示す。
【００１９】
携帯端末１とディスプレイ端末２とは、近距離通信６で接続され、互いに通信できる。また、携帯端末１とディスプレイ端末２とは、携帯ネットワーク４、携帯ゲートウェイ５、ネットワーク３を介して接続され、互いに通信できる。携帯ゲートウェイ５は、携帯ネットワーク４とネットワーク３との間のデータを仲介する。携帯端末１は、例えば、携帯電話、ＰＤＡなど、の情報端末であるが、通信できる情報端末であればこれらには限定されない。ネットワーク３は、例えばインターネットであるが、相互に通信可能な通信媒体であればよい。携帯ネットワーク４は、例えば携帯電話またはＰＨＳの無線ネットワークなどであるが、相互に無線通信可能な通信網であればよい。近距離通信６は、例えば赤外線や無線ＬＡＮであるが、相互に通信可能な近距離通信媒体であればこれに限られない。
【００２０】
図２に、携帯端末１の詳細を示す。
【００２１】
入出力機器１０３、プロセッサ１０６Ａ、記憶装置１０７Ａ、送受信機器１０４Ａ、カメラ機器１０１、近距離通信機器１０２Ａが、互いに内部バス１０５Ａで接続され、相互に制御信号やデータ等の送受を行う。それぞれのコンポーネントは、図示しないバッテリや電源に接続され、動作に必要な電力が供給される。カメラ機器１０１は、画像を撮影する。近距離通信機器１０２Ａは、外部と近距離通信を行う。記憶装置１０７Ａは、例えばハードディスなど、情報を記憶できる装置である。入出力機器１０３は、利用者への情報の表示及び利用者からのデータ入力の受け付けを行う。入出力機器１０３は、例えば液晶ディスプレイとテンキーであるが、利用者からの入力、利用者への出力を行う装置であれば、これに限られない。また、入出力機器１０３は、入力機器と出力機器とをそれぞれ別々に持つ構成でもよい。送受信機器１０４Ａは、携帯ネットワーク４を介した通信を制御してデータを受け取り、プロセッサ１０６Ａに渡す。また、送受信機器１０４Ａは、プロセッサ１０６Ａからデータを受け取り、携帯ネットワーク４へ送信する。なお、図２では、携帯端末１は、送受信をともに行う送受信機器１０４Ａを有しているが、送信機、受信機を別々に持つ構成でもよい。
【００２２】
携帯端末１の記憶装置１０７Ａには、プログラムＤＢ１０８Ａ、画像ＤＢ１０９、端末所持者情報ＤＢ１１０が格納される。携帯端末１のプログラムＤＢ１０８Ａには、投稿閲覧機能を実現する投稿閲覧プログラム１１９を格納する。画像ＤＢ１０９には、カメラ機器１０１で撮影した画像及びディスプレイ端末２からダウンロードした画像が保存される。端末所持者情報ＤＢ１１０には、端末の利用者が電子掲示板システムで端末の使用を開始する際に必要な利用者ＩＤ１１１とパスワード１１２が格納される。
【００２３】
図３に、ディスプレイ端末２の詳細を示す。
【００２４】
表示機器２１２、プロセッサ１０６Ｂ、記憶装置１０７Ｂ、送受信機器１０４Ｂ、メモリ(不図示)、近距離通信機器１０２Ｂが、互いに内部バス１０５Ｂで接続されて、相互に制御信号やデータ等の送受を行う。それぞれのコンポーネントは、図示しないバッテリや電源に接続されて動作に必要な電力が供給される。近距離通信機器１０２Ｂは、外部と近距離通信を行う。記憶装置１０７Ｂは、例えばハードディスなどの、情報を記憶できる装置である。表示機器２１２は、掲示板としての情報の表示を行う、例えば大型液晶ディスプレイであるが、表示を行う装置であればこれに限らない。送受信機器１０４Ｂは、ネットワーク３との通信を制御してデータを受け取り、プロセッサ１０６Ｂに渡す。また、送受信機器１０４Ｂは、プロセッサ１０６Ｂからデータを受け取りネットワーク３へ送信する。なお、図３では、ディスプレイ端末２は、送受信をともに行う送受信機器１０４を有しているが、送信機、受信機を別々に持つ構成でもよい。
【００２５】
ディスプレイ端末２の記憶装置１０７Ｂには、プログラムＤＢ１０８Ｂ、コンテンツＤＢ２０２、セッション情報ＤＢ２０３、利用者情報ＤＢ２０４が格納される。ディスプレイ端末２のプログラムＤＢ１０８Ｂには、電子掲示板機能を実現する電子掲示板プログラム２０１が格納される。コンテンツＤＢ２０２には、携帯端末から投稿された画像コンテンツ、閲覧者のコメント、コンテンツ管理テーブル５０１が格納される。セッション情報ＤＢ２０３には、現在ログインしている携帯端末１に関するセッション情報が格納される。利用者情報ＤＢ２０４には、電子掲示板システムを使用する利用者の一覧が格納される。
【００２６】
投稿閲覧プログラム１１９及び電子掲示板プログラム２０１は、それぞれ、携帯端末１及びディスプレイ端末２の作成時に、図示していない読み取り装置によって記憶装置１０７Ａ,１０７Ｂに格納される。または、ＣＤ-ＲＯＭ等の記憶媒体に格納されて取引されたものを、図示していない読取装置によって記憶装置１０７Ａ,１０７Ｂに格納してもよい。または、ネットワーク３、携帯ネットワーク４を介して送受信機器１０４Ａ,１０４Ｂで受信されたものを、記憶装置１０７に格納してもよい。投稿閲覧プログラム１１９及び電子掲示板プログラム２０１は、それぞれ、記憶装置１０７Ａ,１０７Ｂから順次ワークメモリに読み出されてプロセッサ１０６Ａ,１０６Ｂにより実行される。
【００２７】
投稿閲覧プログラム１１９は、以下の機能ブロックに分かれる。
【００２８】
メール受信部１１３は、ディスプレイ端末２からの電子メールを受信する。画像取得部１１４は、カメラ機器１０１を制御し、画像を取得し、画像データを画像ＤＢ１０９に格納する。投稿閲覧処理部１２０は、投稿部１１５、コメント書き込み部１１６から成る。投稿部１１５は、画像の投稿を行う。コメント書き込み部１１６は、掲示板へのコメント書き込みを行う。ログイン要求部１１７は、近距離通信機器１０２Ａからディスプレイ端末２へのログイン処理を行う。端末所持者情報登録部１１８は、端末処理者情報ＤＢ１１０の登録／更新を行う。
【００２９】
電子掲示板プログラム２０１は、以下の機能ブロックに分かれる。
【００３０】
セッション管理部２０８は、携帯端末１のログイン状態を管理する。ログイン処理部２０９は、携帯端末１からのログイン要求を処理する。コンテンツ管理部２０５は、投稿受理部２０６とコメント受理部２０７と期限管理部２１３とから成る。投稿受理部２０６は、携帯端末１からの投稿要求を処理する。コメント受理部２０７は、携帯端末１からのコメント書き込み要求を処理する。期限管理部２１３は、コンテンツの期限を監視し、期限になったコンテンツの表示消去を行う。利用者情報登録部２１０は、利用者情報ＤＢ２０４の登録／更新を行う。時刻取得部２１１は、現在時刻を取得し、電子掲示板プログラム２０１の各部に提供する。
【００３１】
図４に、利用者情報ＤＢ２０４に格納される利用者情報テーブル４０１のデータ構造を示す。
【００３２】
メールアドレス４０２は、携帯端末１の利用者に電子メールを送信するための宛先アドレスである。
【００３３】
図５に、コンテンツＤＢ２０２に格納されるコンテンツ管理テーブル５０１のデータ構造を示す。
【００３４】
コンテンツＩＤ５０２は、表示機器２１２に表示するコンテンツを一意に識別するＩＤである。利用者ＩＤ１１１は、コンテンツを投稿した利用者を示す。表示期限５０３は、表示機器２１２からコンテンツを消去する時刻を示す。
【００３５】
図６に、セッション情報ＤＢ２０３に格納されるセッション管理テーブル６０１のデータ構造を示す。
【００３６】
セッションＩＤ６０２は、携帯端末１の認証が成功した際に割り当てられる一時的なＩＤである。ＷｅｂセッションＩＤ６０４は、携帯端末１がネットワーク３経由でディスプレイ端末２にアクセスするために割り当てられる一時的なＩＤである。非アクセス経過時間６０３は、セッションＩＤ６０２あるいはＷｅｂセッションＩＤ６０４に該当する携帯端末１が最後にアクセスしてからの経過時間を示す。
【００３７】
電子掲示板システムの利用に先立って、端末所持者情報ＤＢ１１０と利用者情報ＤＢ２０４の初期化を行っておく。初期化は、例えば、端末所持者情報登録部１１８と利用者情報登録部２１０とが、ネットワーク３及び携帯ネットワーク４を介した通信でやりとりした、利用者に関する情報をＤＢに登録することによって行われてもよいし、ディスプレイ端末２の管理者及び携帯端末１の利用者等が、それぞれ、別の手段で、利用者に関する情報をＤＢに事前に登録することによって行われてもよい。
【００３８】
図７のフローチャートを参照しながら、電子掲示板を利用する投稿者／閲覧者のログイン手順を説明する。
【００３９】
ディスプレイ端末２のログイン処理部２０９は、近距離通信機器１０２Ｂを制御し、携帯端末１からのログイン要求を待ち受ける(ステップＳ７０２)。利用者は、使用したい掲示板の近くで携帯端末１の近距離通信機器１０２Ａを通じてログイン要求を出す。ログイン要求部１１７は、端末所持情報ＤＢ１１０から、利用者ＩＤ１１１、パスワード１１２を取り出し、近距離通信機器１０２Ａからログイン要求として送信する(ステップＳ７０４)。
【００４０】
ログイン要求を受信したログイン処理部２０９は、ログイン要求に含まれる利用者ＩＤ１１１とパスワード１１２を利用者情報ＤＢ２０４と照合し、登録済みの利用者であることを認証する(ステップＳ７０６)。正当な利用者であった場合は、セッション管理部２０８が、ランダムなＩＤを生成し、セッションＩＤ６０２としてセッション管理テーブル６０１に登録する(ステップＳ７０８)。このとき、セッション管理部２０８は、利用者ＩＤ１１１を合わせて設定し、非アクセス経過時間６０３を０とする。以後、セッション管理部２０８は、経過時間を管理し、非アクセス経過時間６０３を更新し、一定時間アクセスがなかった場合は、セッション管理テーブル６０１の該当エントリを削除することで、利用者を強制的にログアウトさせる。
【００４１】
次に、ログイン処理部２０９は、携帯端末１がディスプレイ端末２に携帯ネットワーク４からアクセスするためのＵＲＬと、生成したセッションＩＤ６０２を、セッション情報として携帯端末１に返信する(ステップＳ７１０)。
【００４２】
ログイン要求部１１７は、セッション情報を受信し、ワークメモリ上に記憶する(ステップＳ７１２)。次に、ログイン要求部１１７は、送受信機器１０４Ａを通じ、アクセスＵＲＬに接続し、携帯ネットワーク４経由で、セッションＩＤ６０２を、掲示板利用要求としてディスプレイ装置２に送信する(ステップＳ７１４)。
【００４３】
ログイン処理部２０９は、この掲示板利用要求を受信する。セッション管理部２０８は、受信されたセッションＩＤ６０２をセッション管理テーブル６０１と照合し、該当する場合は、ランダムなＩＤを生成し、ＷｅｂセッションＩＤ６０４としてセッション管理テーブル６０１に追記する(ステップＳ７１６)。ログイン処理部２０９は、ＷｅｂセッションＩＤ６０４をＷｅｂセッション情報として返送する(ステップＳ７１８)。ログイン要求部１１７は、Ｗｅｂセッション情報を受信し、ワークメモリに記憶する(ステップＳ７２０)。
【００４４】
投稿閲覧処理部１２０は、入出力機器１０３を通じ、投稿／閲覧のトップ画面を表示する(ステップＳ７２２)。図１１に、トップ画面の一例を示す。利用者は、コンテンツを投稿する場合には、図１１のトップ画面で表示エリア１１０１を選択し、コメントを書き込む場合には、図１１のトップ画面で表示エリア１１０２を選択する。
【００４５】
次に、図８のフローチャートを参照しながら、投稿者によるコンテンツの投稿手順を説明する。なお、ステップＳ７０２〜ステップＳ７２２の手順でログインが完了しているものとする。
【００４６】
利用者は、ステップＳ７２２にて表示されたトップ画面上で、入出力機器１０３を通じ、コンテンツの投稿１１０１を選択する。
【００４７】
投稿部１１５は、画像ＤＢ１０９に格納されている、画像一覧の選択欄、メッセージ入力欄、表示期限入力欄を、入出力機器１０３から表示する。図１２に、表示例を示す。
【００４８】
利用者は、投稿したい画像を表示エリア１２０１から選択し、メッセージ入力エリア１２０２にメッセージを入力し、表示エリア１２０３に表示期限を入力し、送信ボタン１２０４を選択する。投稿部１１５は、利用者の入力内容のうちの投稿データ(選択された画像データ、メッセージ)及び表示期限と、ＷｅｂセッションＩＤ６０４とを、投稿要求として、送受信機器１０４Ａからディスプレイ端末２に送信する(ステップＳ８０２)。
【００４９】
投稿受理部２０６は、ディスプレイ端末２の送受信機器１０４Ｂを介し、投稿要求を受信し、セッション管理部２０８がＷｅｂセッションＩＤ６０４を照合する。ＷｅｂセッションＩＤ６０４が正しい場合は、非アクセス経過時間６０３を０に戻す(ステップＳ８０４)。
【００５０】
投稿受理部２０６は、画像データをコンテンツＤＢ２０２に保存し、コンテンツ管理テーブル５０１を更新する。このとき、投稿受理部２０６は、コンテンツＩＤ５０２として、ランダムなＩＤを生成する。利用者ＩＤ１１１は、セッション管理テーブル６０１から取得される。表示期限は、投稿要求に含まれていたものとする。
【００５１】
次に、投稿受理部２０６は、画像データ、メッセージ、コンテンツＩＤ５０２を、表示機器２１２を通じて電子掲示板に表示し、投稿完了通知を返送する(ステップＳ８０６)。
【００５２】
投稿部１１５は、ログアウト要求として、ＷｅｂセッションＩＤ６０４を送信する(ステップＳ８０８)。コンテンツ管理部２０５は、ログアウト要求を受信し、セッション管理部２０８は、ＷｅｂセッションＩＤ６０４を検証し(ステップＳ８１０)、正当なＷｅｂセッションＩＤ６０４であった場合は、セッション管理テーブル６０１から該当エントリを削除し、ログアウト完了通知を返送する(ステップＳ８１２)。
【００５３】
コンテンツ管理部２０５は、ログアウト完了通知を入出力装置１０３から利用者に表示する(ステップＳ８１４)。期限管理部２１３は、コンテンツＤＢ２０２に格納された表示期限になると、そのコンテンツを削除する。このとき、そのコンテンツに対して書き込まれたコメントデータがコンテンツＤＢ２０２に存在していれば、そのコメントデータを、利用者情報ＤＢ２０４から取得したメールアドレス宛ての電子メールとして、送受信機器１０４Ｂから送信する。これにより、コンテンツに対するコメントデータがコンテンツの投稿者に送信される(ステップＳ８１６、ステップＳ８１８)。
【００５４】
メール受信部１１３は、結果メールの内容を入出力機器１０３から利用者に表示する(ステップＳ８２０)。
【００５５】
次に、図９のフローチャートを参照しながら、閲覧者によるコンテンツへのコメント書き込みの手順を説明する。なお、ステップＳ７０２〜ステップＳ７２２の手順でログインが完了しているものとする。
【００５６】
利用者は、ステップＳ７２２にて表示されたトップ画面上で、入出力機器１０３を通じ、コメント書き込み１１０２を選択する。
【００５７】
コメント書き込み部１１６は、コンテンツＩＤ５０２とコメント内容の入力欄を表示する。図１３に表示例を示す。
【００５８】
利用者は、コンテンツ選択処理(ステップＳ９０２)とコメント作成処理(ステップＳ９０４)を実行する。具体的には、利用者は、コメントを書き込みたい対象のコンテンツのコンテンツＩＤ５０２を表示エリア１３０１に入力し、コメント内容を表示エリア１３０２に入力し、送信ボタン１３０３を選択する。ここで、コンテンツＩＤ５０２として、ディスプレイ端末２の表示機器２１２に表示されたものが入力される。これにより、コメント書き込み部１１６は、ＷｅｂセッションＩＤ６０４、コンテンツＩＤ５０２及びコメントデータを、コメント書き込み要求として、送受信機器１０４Ａから送信する(ステップＳ９０４)。
【００５９】
コメント受理部２０７は、送受信機器１０４Ｂを介し、コメント書き込み要求を受信し、セッション管理部２０８は、ＷｅｂセッションＩＤ６０４を照合する。ＷｅｂセッションＩＤ６０４が正しい場合は、セッション管理部２０８は、非アクセス経過時間６０３を０に戻す(ステップＳ９０６)。
【００６０】
コメント受理部２０７は、コメントデータを、コンテンツＤＢ２０２中の、受信したコンテンツＩＤに該当するコンテンツＩＤ５０２に対応するコンテンツデータに追記した上で、表示機器２１２を通じ、電子掲示板に表示する。つぎに、コメント受理部２０７は、コメント書き込み完了通知を返送する(ステップＳ９０８)。
【００６１】
以下に実行されるステップＳ９１０〜ステップＳ９１６は、前述のステップＳ８０８〜ステップＳ８１４と同様のため、説明を省略する。
【００６２】
図１０に、本実施の形態に係るディスプレイ端末１の表示機器２１２による電子掲示板の画面表示例を示す。
【００６３】
以上においては、投稿者の投稿データ及び閲覧者のコメントデータがディスプレイ端末２で管理されているが、それらのデータが、ディスプレイ端末とは別のサーバで管理されるようにしてもよい。以下、そのようにする場合について説明する。
【００６４】
まず、投稿者の投稿データ及び閲覧者のコメントデータを管理するメインサーバを有する電子掲示板システムの全体構成について説明する。
【００６５】
図１４は、メインサーバ７を有する電子掲示板システムの全体構成である。ここでは、図１の電子掲示板システムと共通する構成には同一の符号を付し、それらに関する詳細な説明を省略する。
【００６６】
本電子掲示板システムは、ネットワーク３、ネットワーク３に接続された複数のディスプレイ端末２'、ネットワーク３に接続されたメインサーバ７、基地局５'の通信ゾーン内の携帯端末１が接続可能な携帯ネットワーク(移動通信ネットワーク)４、携帯ネットワーク４とネットワーク３とを相互に接続する、基地局５'内の携帯ゲートウェイ５、を有している。なお、各ディスプレイ端末２'の筐体には、それぞれ、一意に割り当てられた識別情報(ディスプレイ端末ＩＤ)が記されている。
【００６７】
このような電子掲示板システムにおいて、上述の場合と同様、携帯端末１は、基地局５'の通信ゾーン内において、携帯ネットワーク３及びネットワーク４を介してディスプレイ装置２'と相互に通信可能であり、また、基地局５'の無線ゾーンよりも狭い、ディスプレイ装置２'の通信ゾーン内において、近距離通信パス６を介して、ディスプレイ装置２'と相互に通信可能である。メインサーバ７は、ネットワーク３を介してディスプレイ端末２と相互に通信可能であり、ネットワーク３及び携帯ネットワーク４を介して携帯電話１と相互に通信可能である。
【００６８】
図１５に示すように、ディスプレイ端末２'は、図１のディスプレイ端末２(図３参照)と同様なハードウェア構成を有している。ただし、記憶装置１０７Ｂには、ディスプレイ端末２'の筐体に記されたディスプレイ端末ＩＤと同じディスプレイ端末ＩＤ１５０２、表示機器２１２に表示されるコンテンツを記憶する表示内容ＤＢ１５０５、表示機器２１２に掲示板を表示させるための処理が定義された掲示板画面表示プログラム１５０１が格納されたプログラムＤＢ１０８Ｂ'、が格納されている。
【００６９】
プロセッサ１０６Ｂは、メモリ上にロードされた掲示板画面表示プログラム１５０１の実行により、以下の機能構成を実現する。具体的には、プロセッサ１０６Ｂは、メインサーバ７からの表示要求に応じてコンテンツを表示するコンテンツ表示部１５０３、携帯端末１からのログイン要求をメインサーバ７に転送するログイン要求転送部１５０４を実現する。
【００７０】
一方、メインサーバ７は、図１６に示すように、各種プログラム及びデータが格納された記憶装置１０７Ｃ、メモリ(不図示)、記憶装置１０７Ｃからメモリ上にロードされたプログラムを実行するプロセッサ１０６Ｃ、ネットワーク４を介した通信を行う送受信機器１０４Ｃ、これらを互いに接続する内部バス１０５Ｃ、等を有している。
【００７１】
記憶装置１０７Ｃには、コンテンツＤＢ１６０２、セッション情報ＤＢ１６０３、ディスプレイ端末管理ＤＢ１６０４、プログラムＤＢ１０８Ｃ、利用者情報ＤＢ２０４'が格納されている。
【００７２】
利用者情報ＤＢ２０４'には、図１のディスプレイ端末２の利用者情報ＤＢ内の利用者情報テーブル(図４参照)と同様なデータ構造の利用者情報テーブルが格納されている。
【００７３】
ディスプレイ端末管理ＤＢ１６０４には、各ディスプレイ端末２'のディスプレイ端末ＩＤ及び通信アドレスが登録されている。ここで、ディスプレイ端末２'の通信アドレスとは、ネットワーク上でディスプレイ装置２'を識別するための情報(例えば、インターネットIPアドレス)である。
【００７４】
プログラムＤＢ１０８Ｃにはメインサーバプログラム１６０１及びメーラー(不図示)が格納されている。メモリ上にロードされたメインサーバプログラム１６０１及びメーラーの実行により、プロセッサ１０６Ｃは、以下の機能構成を実現する。具体的には、プロセッサ１０６Ｃは、コンテンツ管理部１６０５(投稿受理部１６０６、コメント受理部１６０７、期限管理部１６０８、ディスプレイ表示指示部１６０９)、セッション管理部１６１０、ログイン処理部１６１１、図３のディスプレイ端末の利用者情報登録部２１０と同様な処理を行う利用者情報登録部２１０、図３のディスプレイ端末の時刻取得部２１１と同様な処理を行う時刻取得部２１１、メール送受信部(不図示)を実現する。
【００７５】
コンテンツＤＢ１６０２には、投稿者の携帯端末１から投稿されたコンテンツ、閲覧者の携帯端末１から書き込まれたコメントデータ、コンテンツ管理テーブル５０１が格納される。コンテンツ管理テーブル１７０１には、図１７に示すように、ディスプレイ端末２'に表示されたコンテンツごとに、そのコンテンツの識別情報(コンテンツＩＤ)１７０２、そのコンテンツの投稿者の識別情報(利用者ＩＤ)１７０３、そのコンテンツを消去する時刻を示す表示期限１７０４、そのコンテンツが表示されたディスプレイ端末２'のディスプレイ端末ＩＤ１７０５が登録される。
【００７６】
セッション情報ＤＢ１６０３にはセッション管理テーブル１８０１が格納されている。セッション管理テーブル１８０１には、図１８に示すように、近距離通信パス６を介した携帯端末１とディスプレイ端末２'とのセッションに一時的に割り当てられたセッションＩＤ１８０２、携帯端末１のユーザの利用者ＩＤ、ディスプレイ端末２'のディスプレイ端末ＩＤ１８０６、携帯ネットワーク４及びネットワーク３を介した携帯電話１とメインサーバ７とのセッションに一時的に割り当てられたＷｅｂセッションＩＤ１８０５、携帯端末１からメインサーバ７への最後のアクセスからの経過時間を表す非アクセス経過時間１８０４、が登録される。
【００７７】
つぎに、図１９により、図１４の電子掲示板システムにおける、携帯端末１のユーザ(投稿者または閲覧者)のログイン処理について説明する。図１９は、携帯端末１のユーザ(投稿者または閲覧者)のログイン処理のフローチャートである。
【００７８】
各ディスプレイ端末２'は、近距離通信パスを介した通信の待ち受け状態にある(Ｓ１９０１)。ここで、携帯端末１のユーザが、ディスプレイ端末２'の通信ゾーン(所定の距離の範囲)内で入力出機器１０３にログインコマンドを入力すると、ログイン要求部１１７が、ディスプレイ端末ＩＤの問合せメッセージを近距離通信機器１０２Ａから出力する。これにより、ディスプレイ端末ＩＤの問合せメッセージが、近距離通信パス６を介してディスプレイ端末２'に送信される。
【００７９】
ログイン要求待ち状態のディスプレイ端末２'の近距離通信機器１０２Ｂで、その問合せメッセージが受信されると、ログイン要求転送部１５０４が、記憶装置１０７Ｃからディスプレイ端末ＩＤ１５０２を読み出し、そのディスプレイ端末ＩＤを含む応答メッセージを近距離通信機器１０２Ｂから出力する。これにより、問合せメッセージに対する応答メッセージ(ディスプレイ端末ＩＤ)が、近距離通信パス６を介して携帯端末２に返信される。
【００８０】
ここで、携帯端末１の近距離通信機器１０２Ｂで、１台のディスプレイ端末２'からの応答メッセージだけが受信された場合、すなわち、１台のディスプレイ端末２'の通信ゾーンだけに携帯端末１が入っていた場合には、ログイン要求部１１７が、利用者ＩＤ１１１及びパスワード１１２を端末所持情報ＤＢ１１０から取り出し、それらとディスプレイ端末ＩＤとを含むログイン要求を近距離通信機器１０２Ａから出力する。これにより、ユーザは、ディスプレイ端末を指定しなくても、自身の位置から最も近距離にあるディスプレイ端末２'を、自己の投稿データまたは投稿コメントが表示されるディスプレイ端末として利用することができる。
【００８１】
一方、携帯端末１の近距離通信機器１０２Ｂで、複数のディスプレイ端末２'からの応答メッセージが受信された場合、すなわち、複数のディスプレイ端末２'の通信ゾーンに携帯端末１が入っていた場合には、ログイン要求部１１７が、それらの応答メッセージに含まれていたディスプレイ端末ＩＤを入出力機器１０３に一覧表示する。ユーザが、周辺の各ディスプレイ端末２'に記されたディスプレイ端末ＩＤを確認しながら、入出力機器１０３上の一覧のなかから１つのディスプレイ端末ＩＤを選択すると、ログイン要求部１１７が、利用者ＩＤ１１１及びパスワード１１２を端末所持情報ＤＢ１１０から取り出し、それらとユーザが選択したディスプレイ端末ＩＤとを含むログイン要求を近距離通信機器１０２Ａから出力する。これにより、ユーザは、自身の近距離に複数のディスプレイ端末２'が存在している場合には、それらのなかからディスプレイ端末を選択して、それを、自己の投稿データまたは投稿コメントが表示されるディスプレイ端末として選択することができる(Ｓ１９００)。
【００８２】
このようにして、ログイン要求待ち状態のディスプレイ端末２'の近距離通信機器１０２Ｂで、自己のディスプレイ端末ＩＤを含むログイン要求が受信されると、ログイン要求転送部１５０４が、記憶装置１０７Ｃからディスプレイ端末ＩＤ１５０２を読み出し、そのディスプレイ端末ＩＤと、ログイン要求内の情報(利用者ＩＤ１１１及びパスワード１１２)とを含む、メインサーバ７宛ての認証要求を送受信機器１０４Ｂから出力する(ステップＳ１９０２)。
【００８３】
メインサーバ７の送受信機器１０４Ｃで、ディスプレイ端末２'からの認証要求が受信されると(Ｓ１９０４)、ログイン処理部１６１１が、その認証要求に含まれていた利用者ＩＤ及びパスワード１１２と同じ組み合わせを、利用者情報ＤＢ２０４'内の利用者情報テーブルで検索する。これにより、ログイン処理部１６１１は、ログイン要求発信元の携帯端末１のユーザの認証を行う(Ｓ１９０４)。その結果、該当する組み合わせが利用者情報テーブルに存在していた場合、すなわち、ユーザの認証に成功した場合には、セッション管理部１６１０が、ランダムに生成したＩＤ、認証要求に含まれていたディスプレイ端末ＩＤ、認証要求に含まれていた利用者ＩＤ、及び、非アクセス経過時間の初期値「０」を、セッションＩＤ１８０２、ディスプレイ端末ＩＤ１８０６、利用者ＩＤ１８０３及び非アクセス経過時間１８０４として含む新たなエントリをセッション管理テーブル１８０１に登録する(Ｓ１９０６)。
【００８４】
その後、セッション管理部１６１０は、図３のセッション管理部２０８と同様に、経過時間をカウントしながら、そのカウント値でセッション管理テーブル１８０１内の非アクセス経過時間１８０４を逐次更新し、非アクセス経過時間１８０４が一定値に達しても携帯端末１からアクセスがなければ、セッション管理テーブル１８０１０１から該当エントリを削除することにより、利用者を強制的にログアウトさせる。
【００８５】
さて、セッション管理部１６１０がセッション管理テーブル１８０１に新たなエントリを登録した後、一方においては、ログイン処理部１６１１が、Ｓ１９０６で生成したセッションＩＤと、メインサーバ７内のメインサーバプログラム１６０１のＵＲＬとを含むセッション情報をディスプレイ端末２'に返信している(Ｓ１９０７)。ここでは、メインサーバ７のメインサーバプログラム１６０１のＵＲＬがセッション情報に含まれているが、携帯端末１が携帯ネットワーク４及びネットワーク３を介してアクセスするリソースであれば、どのようなリソースのＵＲＬがセッション情報に含まれていてもよい。
【００８６】
ディスプレイ端末２'の送受信機器１０４Ｂで、メインサーバ７からのセッション情報が受信されると、ログイン要求転送部１５０４が、そのセッション情報を近距離通信機器１０２Ｂから出力させる。これにより、メインサーバ７からのセッション情報が、ログイン要求発信元の携帯端末１に転送される(Ｓ１９０８)。
【００８７】
携帯端末１の近距離通信機器１０２Ｂで、そのセッション情報が受信されると、前述のＳ７１２及びＳ７１４と同様、ログイン要求部１１７が、そのセッション情報をワークメモリ上に格納してから(Ｓ１９０９)、そのセッション情報に含まれていたＵＲＬが示すリソースに対する掲示板利用要求を送受信機器１０４Ｂから出力する(Ｓ１９１０)。この掲示板利用要求には、そのセッション情報に含まれていたセッションＩＤが含まれる。
【００８８】
この掲示板利用要求がメインサーバ７の送受信機器１０４Ｃで受信されると、セッション管理部１６１０が、この掲示板利用要求に応じて、この掲示板利用要求に含まれていたセッションＩＤと同じセッションＩＤ１８０２をセッション管理テーブル１８０１内で検索する。該当するセッションＩＤ１８０２を含むエントリが存在していた場合には、セッション管理部１６１０は、ランダムなＩＤを生成して、このＩＤを、そのエントリのＷｅｂセッションＩＤ１８０５として登録する(Ｓ１９１２)。
【００８９】
その後、ログイン処理部１６１１が、セッション管理部１６１０が生成したＷｅｂセッションＩＤを含むＷｅｂセッション情報及び図１１のトップ画面を表示させるためのドキュメントを、ネットワーク３及び携帯ネットワーク４を介して携帯端末１に返送すべく、送受信機器１０４Ｃから出力する(Ｓ１９１３)。
【００９０】
メインサーバ７からのＷｅｂセッション情報及びドキュメントが携帯端末１の送受信機器１０４Ａで受信されると、前述のＳ７２０及びＳ７２２と同様に、ログイン要求部１１７が、そのＷｅｂセッション情報に含まれていたＷｅｂセッションＩＤをワークメモリに保存してから(Ｓ１９１４)、投稿閲覧処理部１２０が、ドキュメントに基づき図１１のトップ画面を入出力機器１０３に表示させる(Ｓ１９１５)。
【００９１】
つぎに、図２０により、図１４の電子掲示板システムにおける、携帯端末１のユーザ(投稿者)のコンテンツ投稿処理について説明する。なお、以下の処理は、図１９のＳ１９１５以後の処理である。
【００９２】
携帯端末１のユーザが、入出力機器１０３を用いて、図１９のＳ１９１５で表示されたトップ画面上の文字列表示エリア「コンテンツを投稿する」１１０１を選択すると、前述のＳ８０２と同様に、投稿部１１５が、入出力装置１０３に、図１２に示した投稿データ作成用画面を表示させる。この画面には、上述した通り、画像ＤＢ１０９に格納されている画像ファイルの一覧のなかから１つ以上の掲載画像ファイルの選択を受け付ける選択欄１２０１、掲載メッセージの入力を受け付けるメッセージ入力欄１２０１、掲示板上における表示期限の入力を受け付ける表示期限入力欄１２０２、送信ボタン１２０４が配置されている。
【００９３】
携帯端末１のユーザが、投稿データ作成用画面上で、投稿画像ファイルの選択、投稿メッセージの入力及び表示期限の入力を行ってから送信ボタン１２０４を選択すると、投稿部１１５が、投稿データ作成用画面上の投稿データ(選択された投稿画像ファイルの画像データ、投稿メッセージ)の表示を要求する要求をメインサーバ７に送信する。具体的には、投稿部１１５は、投稿データ作成用画面上の投稿データ及び表示期限と保存中のＷｅｂセッションＩＤとを含む投稿要求を、携帯ネットワーク４及びネットワーク３を介してメインサーバ７に送信すべく送受信機器１０４Ａから出力する(Ｓ２００１)。
【００９４】
携帯端末１からの投稿要求がメインサーバ７の送受信機器１０４Ｃで受信されると、セッション管理部１６１０が、図３のディスプレイ端末のセッション管理部２０８がＳ８０４で実行する処理と同様な処理を実行する。すなわち、セッション管理部１６１０は、投稿要求に含まれていたＷｅｂセッションＩＤと同じＷｅｂセッションＩＤ１８０５をセッション管理テーブル１８０１内で検索し(Ｓ２００２)、その結果、該当するＷｅｂセッションＩＤを含むエントリが存在していれば、そのエントリの非アクセス経過時間６０３を初期値「０」に戻す(Ｓ２００２)。
【００９５】
その後、投稿受理部１６０６が、コンテンツ管理テーブル１７０１に登録されていないコンテンツＩＤをランダムに生成し、そのコンテンツＩＤと、投稿要求に含まれていた投稿データとを対応付けて、コンテンツＤＢ１６０２に格納する。さらに、投稿受理部１６０６は、投稿データに割り当てたコンテンツＩＤ、投稿要求に含まれていた表示期限、Ｓ２００２で検索されたエントリに含まれていた利用者ＩＤ及びディスプレイ端末ＩＤを、コンテンツＩＤ１７０２、表示期限１７０４、利用者ＩＤ１７０３及びディスプレイ端末ＩＤ１７０５とする新たなエントリをコンテンツ管理テーブル１７０１に登録する。
【００９６】
その後、ディスプレイ表示指示部１６０９は、Ｓ２００２で検索されたエントリに含まれていたディスプレイ端末ＩＤに対応付けられた通信アドレスをディスプレイ端末管理ＤＢ１６０４から取り出し、その通信アドレス宛てに、投稿データを含む表示要求を送信する(Ｓ２００４)。
【００９７】
通信アドレスが示すディスプレイ端末、すなわち、携帯端末１がログイン要求を与えたディスプレイ端末２'の送受信機器１０４Ｂで、その表示要求が受信されると、コンテンツ表示部１５０３が、その表示要求に含まれている投稿データを表示内容ＤＢ１５０５に格納し、さらに、その投稿データに含まれていた投稿画像データ及び投稿メッセージを表示機器２１２に表示させる。これにより、携帯端末１のユーザは、自己が投稿した画像データ及びメッセージを、近距離にあるディスプレイ端末２'上に表示させることができる。その後、コンテンツ表示部１５０３は、表示完了通知メッセージをメインサーバ７に返信する(Ｓ２００６)。
【００９８】
ディスプレイ端末２'からの通知完了メッセージがメインサーバ７の送受信機器１０４Ｃで受信されると、投稿受理部１６０６が、投稿完了通知メッセージを、投稿要求発信元の携帯端末１に返信すべく、送受信機器１０４Ｃから出力する(Ｓ２００８)。この投稿完了通知メッセージが携帯端末１の送受信機器１０４Ａで受信されると、投稿部１１５が、保存中のＷｅｂセッションＩＤを含むログアウト要求を、携帯ネットワーク４及びネットワーク３を介してメインサーバ７に返信すべく送受信機器１０４Ａから出力する(Ｓ２００９)。
【００９９】
携帯端末１からのログアウト要求がメインサーバ７の送受信機器１０４Ｃで受信されると、セッション管理部１６１０が、図３のセッション管理部２０８がＳ８１２で実行する処理と同様に、そのログアウト要求に含まれていたＷｅｂセッションＩＤを含むエントリをセッション管理テーブル１８０１で検索し(Ｓ２０１０)、該当するエントリをセッション管理テーブル１８０１から削除する。さらに、セッション管理部１６１０は、ログアウト完了通知メッセージを、ネットワーク３及び携帯ネットワーク４を介して携帯端末１に返信すべく送受信機器１０４Ｃから出力する(Ｓ２０１１)。
【０１００】
メインサーバ７からのログアウト完了通知メッセージが携帯端末１の送受信機器１０４Ａで受信されると、投稿閲覧表示部１２０が、掲載が完了した旨を入出力装置１０３から出力する(Ｓ２０１２)。
【０１０１】
その後、メインサーバ７においては、期限管理部１６０８が、図３の期限管理部２１３と同様に、コンテンツ管理テーブル１７０１の表示期限１７０４と時刻取得部２１１'からの時刻とを定期的に比較し、時刻取得部２１１'からの時刻を経過した表示期限１７０４が存在していたら、その表示期限１７０４を含むエントリのコンテンツＩＤ１７０２に対応するコメントデータ(すなわち、コンテンツに対して書き込まれたコメントデータ)がコンテンツＤＢ１６０２に存在しているか否かをチェックする(Ｓ２０１３)。
【０１０２】
コメントデータが存在していなければ、期限管理部１６０８は、該当エントリに含まれていた利用者ＩＤ１８０３と同じ利用者ＩＤに対応付けられたメールアドレスを利用者情報ＤＢ２０４'から取得し、コンテンツが削除された旨のメッセージを含む、そのメールアドレス宛ての電子メールの送信をメール送受信部に指示する。さらに、期限管理部１６０８は、コンテンツ管理テーブル１７０１から該当エントリを削除するとともに、そのエントリに含まれていたコンテンツＩＤに対応付けられたコンテンツデータをコンテンツＤＢ１６０２から削除する。
【０１０３】
一方、コメントデータが存在していれば、期限管理部１６０８は、エントリに含まれていた利用者ＩＤ１７０３と同じ利用者ＩＤに対応付けられたメールアドレスを利用者情報ＤＢ２０４'から取得し、コメントデータを含む、そのメールアドレス宛ての電子メールの送信をメール送受信部に指示する。これにより、コンテンツに対するコメントデータを含む電子メールがコンテンツ投稿者宛てに送信される。さらに、期限管理部１６０８は、コンテンツ管理テーブル１７０１から該当エントリを削除するとともに、そのエントリに含まれていたコンテンツＩＤに対応付けられたコンテンツデータ及びコメントデータをコンテンツＤＢ１６０２から削除する(Ｓ２０１４)。
【０１０４】
携帯端末１のメール受信部１１３は、この電子メールを受信すると、そのメッセージを入出力機器１０３に表示する(Ｓ２０１５)。
【０１０５】
つぎに、図２１により、図１４の電子掲示板における、携帯端末１のユーザ(コンテンツの閲覧者)のコメント書き込み処理について説明する。なお、以下の処理は、図１９のＳ１９１５以後の処理である。
【０１０６】
携帯端末１のユーザが、入出力機器１０３を用いて、図１９のＳ１９１５で表示されたトップ画面上の文字列表示エリア「コメントを書き込む」１１０２を選択すると、前述の場合と同様に、コメント書き込み部１１６が、図１３に示したコメントデータ作成用画面を入出力機器１０３に表示させる。この画面には、上述した通り、コンテンツＩＤの入力を受け付ける入力欄１３０１、コメントの入力を受け付ける入力欄１３０２、送信ボタン１３０３が配置されている。
【０１０７】
携帯端末１のユーザが、コメントデータ作成用画面上で、コメント投稿対象となるコンテンツＩＤ及びコメントを各入力欄１３０１,１３０２に入力してから送信ボタン１３０３を選択すると、コメント書き込み部１１６が、コメントデータ作成用画面上のコメントの書き込みを要求する要求をメインサーバ７に送信する。具体的には、コメント書き込み部１１６は、コメントデータ作成用画面上の入力データ(コンテンツＩＤ、コメントデータ)と保存中のＷｅｂセッションＩＤとを含むコメント書き込み要求を、携帯ネットワーク４及びネットワーク３を介してメインサーバ７に送信すべく、送受信機器１０４Ａから出力する(Ｓ２１００〜Ｓ２１０１)。
【０１０８】
携帯端末１からのコメント書き込み要求がメインサーバ７の送受信機器１０４Ｃで受信されると、セッション管理部１６１０が、図３のセッション管理部２０８がＳ９０６で実行する処理と同様な処理を実行する(Ｓ２１０２)。すなわち、セッション管理部１６１０は、コメント書き込み要求に含まれていたＷｅｂセッションＩＤと同じＷｅｂセッションＩＤをセッション管理テーブル１８０１内で検索する。その結果、該当するＷｅｂセッションＩＤが存在していれば、コメント受理部１６０７は、コメント書き込み要求に含まれていたコンテンツＩＤと同じコンテンツＩＤ１７０２をコンテンツ管理テーブル１７０１で検索する。その結果、該当するコンテンツＩＤ１７０２が存在していれば、そのコンテンツＩＤ１７０２に対応付けられた非アクセス経過時間１８０５を初期値「０」に戻す。
【０１０９】
さらに、セッション管理部１６１０は、コメント書き込み要求に含まれていたコメントデータを、Ｓ２１０２で検索されたコンテンツＩＤ１７０２に対応付けてコンテンツＤＢ１６０２に保存する。その後、ディスプレイ表示指示部１６０９は、Ｓ２１０２で検索されたＷｅｂセッションＩＤ１８０５に対応付けられているディスプレイ端末ＩＤ１８０６(すなわち、ユーザが書き込み対象コンテンツを参照しているディスプレイ端末２'のディスプレイ端末ＩＤ１８０６)をセッション管理テーブル１８０１から取り出し、それと同じディスプレイ端末ＩＤに対応付けられた通信先アドレスをディスプレイ端末管理ＤＢ１６０４から取り出す。さらに、ディスプレイ表示指示部１６０９は、このとき取り出した通信先アドレス宛てに、コメントデータ及びコンテンツＩＤを含む表示要求を送信する(Ｓ２１０４)。
【０１１０】
ユーザが書き込み対象コンテンツを参照しているディスプレイ端末２'の送受信機器１０４Ｂで、メインサーバ７からの表示要求が受信されると、コンテンツ表示部１５０３が、表示要求に含まれていたコメントデータを表示内容ＤＢ１５０５に格納してから、そのコメントデータを表示機器２１２に表示させる。このとき、そのコメントデータは、表示中の投稿データのうち、表示要求に含まれていたコンテンツＩＤの投稿データに対して所定の位置に表示される。その後、コンテンツ表示部１５０３は、コメント表示完了通知メッセージをメインサーバ７に返信する(Ｓ２１０６)。
【０１１１】
ディスプレイ端末２'からのコメント表示完了通知メッセージがメインサーバ７の送受信機器１０４Ｃで受信されると、投稿受理部１６０６が、コメント書き込み完了通知メッセージを、コメント書き込み要求発信元の携帯端末１に返信すべく送受信機器１０４Ｃから出力する(Ｓ２１０８)。
【０１１２】
携帯端末１の送受信機器１０４Ａで、このコメント書き込み完了通知メッセージが受信されると、コメント書き込み部１１６が、保存中のＷｅｂセッションＩＤを含むログアウト要求を、携帯ネットワーク４及びネットワーク３を介してメインサーバ７に返信すべく送受信機器１０４Ａから出力する(Ｓ２１０９)。このログアウト要求がメインサーバ７の送受信機器１０４Ｃで受信されると、セッション管理部１６１０が、図２０のＳ２０１０及びＳ２０１１と同様に、そのログアウト要求に含まれていたＷｅｂセッションＩＤを含むエントリをセッション管理テーブル１８０１から削除し(Ｓ２１１０)、ログアウト完了通知メッセージを携帯端末１に返信する(Ｓ２１１１)。
【０１１３】
メインサーバ７からのログアウト完了通知メッセージが携帯端末１の送受信機器１０４Ａで受信されると、投稿閲覧表示部１２０が、コメント書き込みが完了した旨を入出力装置１０３から出力する(Ｓ２１１２)。
【０１１４】
以上のように、本実施の形態に係る電子掲示板システムによれば、投稿者の投稿データ及び閲覧者のコメントデータがディスプレイ装置及びサーバのいずれで管理されていても、ユーザは、自身の位置から物理的に近い位置に置かれたディスプレイ端末に投稿コンテンツまたは投稿コメントを表示させることができる。また、ディスプレイ端末と無線通信を行うことができる携帯端末を、ディスプレイ端末への入力装置として利用するため、ディスプレイ端末に備え付けの入力装置が１人のユーザに占有されてしまう場合とは異なり、複数のユーザが、順番待ちをせずに、投稿コンテンツまたは投稿コメントを１台のディスプレイ端末に表示させることができる。
【０１１５】
以上、本発明の適用例として電子掲示板システムを挙げたが、本発明は、電子掲示板システムに限らず、第３者に対する公開用の情報を共用のディスプレイに表示させるシステムであれば、どのようなシステムにも適用することができる。例えば、参加者の入力データを共通のディスプレイに表示させるテレビ会議システム、公共の場所等に配置されたディスプレイ端末に複数人が広告を表示する広告システム等にも適用可能である。
【０１１６】
広告システムに適用する場合には、電子掲示板システムにおける投稿と同様な手順で、広告主は、携帯端末１を用いて、広告用のコンテンツ(画像、コメント)をディスプレイ端末に表示させることができる。図２２に示すような、周辺地図を表示するディスプレイ端末を広告表示用のディスプレイ端末として用いる場合には、広告主が、広告用のコンテンツとともに地図上の位置を携帯端末１で指定すると、ディスプレイ端末が、指定された地図上の位置に広告用のコンテンツ２２０１を表示するようにしてもよい。また、広告用のコンテンツ２２０１にクーポン情報が含まれている場合には、そのクーポン情報が広告参照者の携帯端末１にダウンロードされるようにしてもよい。この場合には、広告参照者の携帯端末１が、広告に付されたコンテンツＩＤ２２０２を、電子掲示板システムにおけるコメント書き込みの場合と同様な処理で送信したときに、そのコンテンツＩＤの広告コンテンツに含まれているクーポン情報のＵＲＬが、近距離通信パス以外のネットワークを介して返信されるようにすればよい。
【０１１７】
なお、以上においては、ユーザが投稿するコンテンツを画像としているが、アンケート、告知等、ディスプレイ端末上で公開される情報であれば、画像以外の情報が投稿されてもよい。
【０１１８】
また、以上においては、近距離通信パス６を介したセッションのセッションＩＤと近距離通信パス６以外のネットワーク(ネットワーク３、携帯ネットワーク４)を介したセッションのＷｅｂセッションＩＤとを個別に設定しているが、両セッションに共通のセッションＩＤを設定するようにしてもよい。
【０１１９】
また、以上においては、投稿機能／コメント書き込み機能の両機能を備えた携帯端末を用いているが、いずれか一方の機能のみを有する携帯端末を用いることもできる。
【０１２０】
また、以上においては、携帯端末１の認証情報として、利用者ＩＤ１１１及びパスワード１１２を用いているが、近距離通信媒体として無線ＬＡＮなどを用いた場合には、携帯端末１に割り当てられたＩＰアドレスを認証情報として利用してもよい。
【産業上の利用可能性】
【０１２１】
本発明は、第３者に対する公開用の情報を共用のディスプレイに表示させる通信システムに適用可能である。
【図面の簡単な説明】
【０１２２】
【図１】本発明の実施の一形態に係る電子掲示板システムの概略構成図。
【図２】本発明の実施の一形態に係る携帯端末の内部構成図。
【図３】本発明の実施の一形態に係るディスプレイ端末の内部構成図。
【図４】本発明の実施の一形態に係る利用者情報テーブルのデータ構造を概念的に示した図。
【図５】本発明の実施の一形態に係るコンテンツ管理テーブルのデータ構造を概念的に示した図。
【図６】本発明の実施の一形態に係るセッション管理テーブルのデータ構造を概念的に示した図。
【図７】本発明の実施の一形態に係るログイン処理の実行手順を示すフローチャート。
【図８】本発明の実施の一形態に係る画像投稿の実行手順を示すフローチャート。
【図９】本発明の実施の一形態に係るコメント書き込みの実行手順を示すフローチャート。
【図１０】本発明の実施の一形態に係るディスプレイ端末の表示画面上のレイアウト例を示す図。
【図１１】本発明の実施の一形態に係る電子掲示板サイトのトップ画面のレイアウト例を示す図。
【図１２】本発明の実施の一形態に係る電子掲示板サイトの投稿データ作成用画面のレイアウト例を示す図。
【図１３】本発明の実施の一形態に係る電子掲示板サイトのコメントデータ作成用画面のレイアウト例を示す図。
【図１４】本発明の実施の一形態に係る電子掲示板システムの概略構成図。
【図１５】本発明の実施の一形態に係るディスプレイ端末の内部構成図。
【図１６】本発明の実施の一形態に係るメインサーバの内部構成図。
【図１７】本発明の実施の一形態に係るコンテンツ管理テーブルのデータ構造を概念的に示した図。
【図１８】本発明の実施の一形態に係るセッション管理テーブルのデータ構造を概念的に示した図。
【図１９】本発明の実施の一形態に係るログイン処理のフローチャート。
【図２０】本発明の実施の一形態に係るコンテンツ投稿処理のフローチャート。
【図２１】本発明の実施の一形態に係るコメント書き込み処理のフローチャート。
【図２２】本発明の実施の一形態に係る広告システムにおけるディスプレイ端末上の表示画面のレイアウト例を示した図。
【符号の説明】
【０１２３】
１…携帯端末、２,２'…ディスプレイ端末、３…ネットワーク、４…携帯ネットワーク、６…近距離通信パス、７…メインサーバ、１０２Ａ,１０２Ｂ,１０２Ｃ…近距離通信機器、１０４Ａ,１０４Ｂ,１０４Ｃ…送受信機器、１１０…端末所持者情報ＤＢ、１１７…ログイン要求部、１１９…投稿閲覧処理部プログラム、１２０…投稿閲覧管理部、２０１…電子掲示板プログラム、２０３,１６０３…セッション情報ＤＢ、２０４,２０４'…利用者情報ＤＢ、２０５,１６０５…コンテンツ管理部、２０８,１６１０…セッション管理部、２０９,１６１１…ログイン処理部、４０１…利用者情報テーブル、５０１,１７０１…コンテンツ管理テーブル、６０１,１８０１…セッション管理テーブル、１５０４…ログイン要求転送部
【図１】
2005011318.tif 000003
【図２】
2005011318.tif 000004
【図３】
2005011318.tif 000005
【図４】
2005011318.tif 000006
【図５】
2005011318.tif 000007
【図６】
2005011318.tif 000008
【図７】
2005011318.tif 000009
【図８】
2005011318.tif 000010
【図９】
2005011318.tif 000011
【図１０】
2005011318.tif 000012
【図１１】
2005011318.tif 000013
【図１２】
2005011318.tif 000014
【図１３】
2005011318.tif 000015
【図１４】
2005011318.tif 000016
【図１５】
2005011318.tif 000017
【図１６】
2005011318.tif 000018
【図１７】
2005011318.tif 000019
【図１８】
2005011318.tif 000020
【図１９】
2005011318.tif 000021
【図２０】
2005011318.tif 000022
【図２１】
2005011318.tif 000023
【図２２】
2005011318.tif 000024